(57)【要約】【課題】  耳で支えずしてかけることができるメガネフレームを提供する。【解決手段】  一対のレンズ２，２の保持枠３，３をブリッジ部４を介して連結し、前記各保持枠３，３の外縁部には、一対のつる杆６，６を軸着したメガネフレーム１であって、前記つる杆６を弾性素材で形成し、前記つる杆６の先端には、このつる杆６の弾性により内側への弾発力が作用した状態で頬骨の上側に圧接掛止する掛止部９，９を設けた。【選択図】  図１
2007102059.tif 000002
【特許請求の範囲】
【請求項１】
一対のレンズの保持枠をブリッジ部を介して連結し、前記各保持枠の外縁部には、一対のつる杆を軸着したメガネフレームであって、
前記つる杆を弾性素材で形成し、該つる杆の先端には、該つる杆の弾性により内側への弾発力が作用した状態で頬骨の上側に圧接掛止する掛止部を設けたことを特徴とするメガネフレーム。
【請求項２】
一対のレンズの保持枠をブリッジ部を介して連結し、前記各保持枠の外縁部には、一対のつる杆を軸着したメガネフレームであって、
前記各保持枠の外縁部への前記つる杆の軸着をバネ丁番を介して行い、該バネ丁番による内側への弾発力が作用した状態で頬骨の上側に圧接掛止する掛止部を、前記つる杆の先端に設けたことを特徴とするメガネフレーム。
【請求項３】
前記つる杆の先端に設けられた掛止部を幅広の平板状に形成したことを特徴とする請求項１または２に記載のメガネフレーム。
【発明の詳細な説明】
【技術分野】
【０００１】
本発明は、つる杆の先端に耳掛部を有さないメガネフレームに関する。
【背景技術】
【０００２】
従来から、一対のレンズの保持枠をブリッジ部を介して連結し、前記各保持枠の外縁部には、先端に耳掛部を有する一対のつる杆を軸着したメガネフレームが知られている。
【特許文献１】特開２０００−５６２７０号公報
【発明の開示】
【発明が解決しようとする課題】
【０００３】
前記メガネフレームにあっては、メガネをかけたときに、前記耳掛部を耳に掛けるため、メガネの重量が耳にかかり、耳が痛くなることがある。また、髪型によっては、髪が邪魔になって前記耳掛部を耳に掛けづらい場合がある。さらに、ファッション性の観点から、これまでのメガネフレームとは違った斬新なデザインのメガネフレームが望まれている。
【０００４】
そこで、本発明者は、メガネをかけたときに、耳の代わりに他の部位で支持することができるメガネフレームについて検討した。その結果、誰しも顔には目と耳の間に頬骨が出ていることに着目し、耳の代わりに頬骨で支持することができる斬新なデザインのメガネフレームを完成した。
【０００５】
本発明の目的は、耳で支えずしてかけることができるメガネフレームを提供することにある。
【課題を解決するための手段】
【０００６】
前記目的を解決するためになされた請求項１に記載の発明は、一対のレンズの保持枠をブリッジ部を介して連結し、前記各保持枠の外縁部には、一対のつる杆を軸着したメガネフレームであって、前記つる杆を弾性素材で形成し、該つる杆の先端には、該つる杆の弾性により内側への弾発力が作用した状態で頬骨の上側に圧接掛止する掛止部を設けたことを特徴とする。
【０００７】
このような請求項１に記載の発明では、前記つる杆の先端に設けられた掛止部を、前記つる杆の弾性による内側への弾発力が作用した状態で頬骨の上側に圧接掛止させることにより、前記つる杆の先端が、耳の代わりに頬骨の上側で支持される。
【０００８】
請求項２に記載の発明は、一対のレンズの保持枠をブリッジ部を介して連結し、前記各保持枠の外縁部には、一対のつる杆を軸着したメガネフレームであって、前記各保持枠の外縁部への前記つる杆の軸着をバネ丁番を介して行い、該バネ丁番による内側への弾発力が作用した状態で頬骨の上側に圧接掛止する掛止部を、前記つる杆の先端に設けたことを特徴とする。
【０００９】
このような請求項２に記載の発明では、前記つる杆の先端に設けられた掛止部を、前記バネ丁番による内側への弾発力が作用した状態で頬骨の上側に圧接掛止させることにより、前記つる杆の先端が、耳の代わりに頬骨で支持される。
【００１０】
請求項３に記載の発明は、請求項１または２に記載の前記つる杆の先端に設けられた掛止部を幅広の平板状に形成したことを特徴とする。
【００１１】
このような請求項３に記載の発明では、幅広の平板状に形成された前記掛止部を、内側への弾発力が作用した状態で頬骨の上側に圧接掛止させることにより、前記つる杆の先端が、耳の代わりに頬骨で支持される。
【発明の効果】
【００１２】
請求項１に記載の発明によれば、前記つる杆の先端に設けられた掛止部を、前記つる杆の弾性による内側への弾発力が作用した状態で頬骨の上側に圧接掛止させることにより、前記つる杆の先端を、耳の代わりに頬骨で支持することができる。しかも、前記つる杆の先端が、頬骨で単に支持されるだけではなく、前記つる杆の先端に設けられた掛止部を、前記つる杆の弾性による内側への弾発力が作用した状態で頬骨の上側に圧接掛止するよう構成したので、前記掛止部を頬骨の上側に確実に圧接掛止させることができ、メガネがずり落ちたり、ずれたりすることを防止することができる。
【００１３】
さらに、耳で支えずしてメガネをかけることができるので、耳が痛くならず、また髪が邪魔になってメガネがかけづらいということもない。また、前記つる杆は耳まで達せず頬骨までの長さになっていて、前記つる杆の先端が頬骨で支持される斬新なデザインになっているので、優れたファッション性を有する。
【００１４】
請求項２に記載の発明によれば、前記つる杆の先端に設けられた掛止部を、前記バネ丁番による内側への弾発力が作用した状態で頬骨の上側に圧接掛止させることにより、前記つる杆の先端を、耳の代わりに頬骨で支持することができる。しかも、前記つる杆の先端が、頬骨で単に支持されるだけではなく、前記つる杆の先端に設けられた掛止部を、前記バネ丁番による内側への弾発力が作用した状態で頬骨の上側に圧接掛止するよう構成したので、前記掛止部を頬骨の上側に確実に圧接掛止させることができ、メガネがずり落ちたり、ずれたりすることを防止することができる。
【００１５】
さらに、耳で支えずしてメガネをかけることができるので、耳が痛くならず、また髪が邪魔になってメガネがかけづらいということもない。さらに、前記つる杆は耳まで達せず頬骨までの長さになっていて、前記つる杆の先端が頬骨で支持される斬新なデザインになっているので、優れたファッション性を有する。
【００１６】
請求項３に記載の発明によれば、内側への弾発力が作用した状態で頬骨の上側に圧接掛止する前記掛止部が、幅広の平板状に形成されているので、前記掛止部が当たる部位の痛みを軽減することができる。
【発明を実施するための最良の形態】
【００１７】
以下、本発明に係るメガネフレームを実施するための最良の形態の一例を説明する。  
まず、実施の形態の第一例について説明する。図１は実施の形態の第一例のメガネフレームを示す斜視図、図２は図１に示すメガネフレームの平面図、図３は着用時に図１に示すメガネフレームのつる杆を拡げた状態を示す平面図、図４は図１に示すメガネフレームを着用した状態を示す説明図である。
【００１８】
本例のメガネフレーム１は、一対のレンズ２，２の保持枠３，３をブリッジ部４を介して連結し、前記保持枠３，３の互いに対向する内縁部には、一対の鼻当て５，５が設けられ、また前記各保持枠３，３の外縁部には、弾性素材で形成された一対のつる杆６，６が、よろい７，７を介して軸着部８，８で軸着されて構成されている。
【００１９】
前記つる杆６，６を最大に開いたときの間隔は、顔の幅よりもやや小さく設定されている。前記つる杆６，６の先端には、幅広の平板状に形成された掛止部９，９が設けられている。この掛止部９，９は、前記つる杆６，６を、最大に開いた状態の基準位置（図１および図２参照）から、弾性変形させてさらに外側へ拡げたときに（図３参照）、前記つる杆６，６の弾性により、元に戻ろうとする内側への弾発力が作用した状態で、頬骨ａの上側に圧接掛止するようになっている（図４参照）。
【００２０】
前記メガネフレーム１を用いたメガネ１０をかける場合、前記つる杆６，６の先端に設けられた掛止部９，９を、頬骨ａの上側に圧接掛止させる。このとき、前記つる杆６，６の間隔は、顔の幅よりもやや小さく設定されているので、前記つる杆６，６が弾性変形して外側へ拡がり（図３参照）、前記掛止部９，９は、前記つる杆６，６の弾性による内側への弾発力が作用した状態で頬骨ａの上側に圧接掛止する。
【００２１】
本例のメガネフレーム１によれば、前記つる杆６，６の先端に設けられた掛止部９，９を、前記つる杆６，６の弾性による内側への弾発力が作用した状態で頬骨ａの上側に圧接掛止させることにより、前記つる杆６，６の先端を、耳の代わりに頬骨ａで支持することができる。しかも、前記つる杆６，６の先端が、頬骨ａで単に支持されるだけではなく、前記つる杆６，６の先端に設けられた掛止部９，９を、前記つる杆６，６の弾性による内側への弾発力が作用した状態で頬骨ａの上側に圧接掛止するよう構成したので、前記掛止部９，９を頬骨ａの上側に確実に圧接掛止させることができ、前記メガネ１０がずり落ちたり、ずれたりすることを防止することができる。
【００２２】
しかも、耳で支えずして前記メガネ１０をかけることができるので、耳が痛くならず、また髪が邪魔になってメガネ１０がかけづらいということもない。さらに、前記つる杆６，６は耳まで達せず頬骨ａまでの長さになっていて、前記つる杆６，６の先端が頬骨ａで支持される斬新なデザインになっているので、優れたファッション性を有する。
【００２３】
また、内側への弾発力が作用した状態で頬骨の上側に圧接掛止する前記つる杆６，６の掛止部９，９が、幅広の平板状に形成されているので、前記掛止部９，９が当たる部位の痛みを軽減することができる。
【００２４】
つぎに、実施の形態の第二例について説明する。図５は実施の形態の第二例のメガネフレームを示す平面図、図６は着用時に図５に示すメガネフレームのつる杆を拡げた状態を示す平面図である。図において、第一例のメガネフレーム１と同一の構成については同一の符号を付しており、以下の説明では第一例と異なる構成について説明する。
【００２５】
本例のメガネフレーム２０では、つる杆６，６とよろい７，７との軸着部８，８が、公知構成のバネ丁番２１（詳細な構成は図示省略）で構成されている。このバネ丁番２１の作用により、前記つる杆６，６を、最大に開いた状態の基準位置（図５参照）から、前記軸着部８，８を基点にしてさらに外側へ拡げたときに（図６参照）、前記つる杆６，６に、元に戻ろうとする内側への弾発力が作用するようになっている。
【００２６】
前記メガネフレーム２０を用いたメガネ１０をかけたとき、前記つる杆６，６の間隔が、顔の幅よりもやや小さく設定されているので、前記つる杆６，６が前記軸着部８，８を基点にして外側へ拡がり（図６参照）、前記掛止部９，９は、前記バネ丁番２１による作用によって、前記つる杆６，６が元に戻ろうとする内側への弾発力が作用した状態で頬骨ａの上側に圧接掛止する。
【００２７】
以上説明した本例のメガネフレーム２０によっても、第一例のメガネフレーム１と同様の効果を得ることができる。
【図面の簡単な説明】
【００２８】
【図１】本発明に係るメガネフレームの実施の形態の第一例を示す斜視図である。
【図２】図１に示すメガネフレームの平面図である。
【図３】着用時に図１に示すメガネフレームのつる杆を拡げた状態を示す平面図である。
【図４】図１に示すメガネフレームを着用した状態を示す説明図である。
【図５】本発明に係るメガネフレームの実施の形態の第二例を示す平面図である。
【図６】着用時に図５に示すメガネフレームのつる杆を拡げた状態を示す平面図である。
【符号の説明】
【００２９】
１，２０  メガネフレーム
２  レンズ
３  保持枠
４  ブリッジ部
５  鼻当て
６  つる杆
７  よろい
８  軸着部
９  掛止部
１０  メガネ
ａ  頬骨
２１  バネ丁番
【図１】
2007102059.tif 000003
【図２】
2007102059.tif 000004
【図３】
2007102059.tif 000005
【図４】
2007102059.tif 000006
【図５】
2007102059.tif 000007
【図６】
2007102059.tif 000008